(57)【特許請求の範囲】
【請求項１】
座と背凭れとのうち少なくとも一方が、芯材の表面側に張地を配置したものである椅子であって、
前記芯材の表面に一方向に並ぶ凹凸部を形成するとともに、
前記張地に前記凹凸部に関連させて、当該張地の他の部分とは視覚的に異なる変化をもたらす視覚的特徴部分を形成しており、
前記芯材の表面と前記張地との間に前記凹凸部による空隙が介在し、その空隙が椅子の左右方向に延伸している椅子。
【請求項２】
前記凹凸部と前記視覚的特徴部分とが、表面側から見て少なくとも一部重なり合うように配置されている請求項１記載の椅子。
【請求項３】
前記凹凸部が、左右方向に延伸した凹溝であり、その凹溝が複数本並べて設けられている請求項１または２記載の椅子。
【請求項４】
前記視覚的特徴部分が、前記凹凸部の延伸方向に沿って展開している請求項１、２または３記載の椅子。
【請求項５】
前記視覚的特徴部分が、前記張地の裏面側に突き出すように凹んだエンボスである請求項１、２、３または４記載の椅子。
【請求項６】
前記芯材及び前記張地は座を構成するものであり、
前記座は背凭れの後傾に連動して変位するものである請求項５記載の椅子。
【発明の詳細な説明】
【技術分野】
【０００１】
本発明は、オフィス等において好適に使用される椅子に関する。
【背景技術】
【０００２】
大多数の事務用（または、執務用）椅子の座は、硬質樹脂製のシェルにクッション材を装着し、これを張地でくるんで被覆することにより構成されている。
【０００３】
近時では、弾性変形の硬さを調整し、着座者の体圧の分散を図り、または通気性を確保する目的で、クッション材の表面を平坦化せず敢えて凹凸部を形成しておくことがある（例えば、下記特許文献を参照）。そのようなクッション材の表面側に張地を張り設けていると、時が経つにつれて張地の上に埃が溜まり、クッション材の凹凸部が浮き上がって見えてしまうことがあった。また、長期間に亘る使用の結果、凹凸部と重なり合う張地の部位に皺がよってしまうこともあった。これらの埃や皺が目立つと、家具としての美観、格調を損ねる。
【０００４】
上記の問題は、同様の構造を有している背凭れについても生起し得る。
【先行技術文献】
【特許文献】
【０００５】
【特許文献１】特開２００５−０５２１８１号公報
【発明の概要】
【発明が解決しようとする課題】
【０００６】
本発明は、クッション等の芯材の表面に凹凸部を形成し、その表面側に張地を配置してなる椅子の部材において、張地についた埃や皺が目立って美観や格調を損ねる問題を解消ないし緩和することを目的としている。
【課題を解決するための手段】
【０００７】
本発明では、座と背凭れとのうち少なくとも一方が、芯材の表面側に張地を配置したものである椅子にあって、前記芯材の表面に一方向に並ぶ凹凸部を形成するとともに、前記張地に前記凹凸部に関連させて視覚的特徴部分を形成し、前記芯材の表面と前記張地との間に前記凹凸部による空隙を介在させ、その空隙を椅子の左右方向に延伸させることとした。ここで、視覚的特徴部分とは、他の部分とは視覚的に異なる変化をもたらす部分を言い、他の部分よりも凹んで見える、他の部分よりも突き出して見える、他の部分とは模様または色彩が異なる、等を包括した概念である。
【０００８】
目立つ埃や皺は、張地における凹凸部と重なり合う部位に発生しやすい。そこで、前記凹凸部と前記視覚的特徴部分とを、表面側から見て少なくとも一部重なり合うように配置することが好ましい。
【０００９】
前記凹凸部が、左右方向に延伸した凹溝であり、その凹溝が複数本並べて設けられているならば、当該凹溝を介して通気性が確保され、より快適な座り心地を実現できる。
【００１０】
前記視覚的特徴部分が、前記凹凸部の延伸方向に沿って展開していれば、張地に付着した埃や皺を目立たなくする効果が促進される。
【００１１】
前記視覚的特徴部分が、前記張地の裏面側に突き出すように凹んだエンボスであるならば、当該エンボスを介して芯材と張地との係わり合いが増強され、芯材に対して張地がずれてしまうのを抑制することができる。
【００１２】
事務用椅子の座は、背凭れの後傾に連動して変位するものが多いため、エンボスによる張地のずれ止めは、特に座において有効である。
【発明の効果】
【００１３】
本発明によれば、芯材の表面に凹凸部を形成し、その表面側に張地を配置してなる椅子の部材において、張地についた埃や皺が目立たなくなり、家具としての美観、格調を保つことが可能となる。
【図面の簡単な説明】
【００１４】
【図１】本発明の一実施形態を示す前方からの斜視図。
【図２】同実施形態の張地を分解して示す前方からの斜視図。
【図３】同実施形態の張地を一部省略して示す正面。
【図４】同実施形態の張地を分解して示す左側面図。
【図５】同実施形態の張地を一部省略して示す背面図。
【図６】同実施形態の脚を省略して示す後方からの斜視図。
【図７】同実施形態の全体を一部省略して示す分解斜視図。
【図８】同実施形態の支持基部及び背支持アームの要部を拡大して示す前方からの斜視図。
【図９】同実施形態の支持基部及び背支持アームの要部を拡大して示す分解斜視図。
【図１０】同実施形態の支持基部を一部省略して分解して示す後方からの斜視図。
【図１１】同実施形態の支持基部を分解して示す正面図。
【図１２】同実施形態の支持基部及び座を示す左側面図。
【図１３】同実施形態のロッキング機構を示す図１２に相当する作用説明図。
【図１４】同実施形態の座と座受を示す分解斜視図。
【図１５】図５における要部を示したＡ−Ａ線断面図。
【図１６】図４における要部を示したＢ−Ｂ線断面図。
【図１７】図１６における要部を示したＣ−Ｃ線断面図。
【図１８】同実施形態の背凭れ支持体と背支持部材との取付構造を示した斜視図。
【図１９】同実施形態の背シェル及び背支持部材を分解して示す斜視図。
【図２０】同実施形態の背シェルの正面図。
【図２１】同実施形態の背支持部材の正面図。
【図２２】図３における要部を示したＤ−Ｄ線断面図。
【図２３】図３における要部を示したＥ−Ｅ線断面図。
【図２４】図５におけるＦ−Ｆ線拡大断面図。
【図２５】図２１におけるＧ−Ｇ線断面図。
【図２６】本発明の変形例の一を示す前方からの斜視図。
【図２７】本発明の変形例の一を示す前方からの斜視図。
【図２８】本発明の変形例の一を示す前方からの斜視図。
【発明を実施するための形態】
【００１５】
以下、本発明の一実施形態を、図１ないし図２５を参照して説明する。
【００１６】
この実施形態は本発明を事務用回転椅子に適用した場合のものである。
【００１７】
この椅子は、図１ないし図７に示すように、脚１と、この脚１に支持された支持基部３と、この支持基部３上に配された座受５と、この座受５に支持された座７と、前記支持基部３に回動可能に支持された背凭れ支持体９と、この背凭れ支持体９に取付けた背凭れ１１と、この背凭れ１１の後傾動作に伴わせて前記座受５及び座７を上動及び傾動させるロッキング機構１３と、前記背凭れ支持体９に設けられた肘掛け１５とを具備してなる。
【００１８】
《脚の構成》
脚１は、図１ないし図７に示すように、脚ベース１７と、この脚ベース１７の中心部に設けられた脚支柱１９を備えてなる。
【００１９】
脚ベース１７は、図１ないし図５及び図７に示すように、中心部に設けたハブ２１から複数本の脚羽根２３を放射状に突出させて設けたもので、前記脚羽根２３先端にキャスタ２５をそれぞれ設けている。
【００２０】
前記脚支柱１９は、図１ないし図５、図７及び図１４に示すように、ガススプリングタイプのもので上下方向に弾性的に伸縮し、所望の位置においてロックすることができるようにした通常のものである。すなわち、この脚支柱１９は前記脚ベース１７のハブ２１に嵌着されたガススプリング本体２７と、このガススプリング本体２７の上端から突出させたロッド２９とを備えたもので、前記ロッド２９の上端にロック解除用の操作ボタン３１が突出させてある。そして、このロッド２９の上端部に支持基部３を装着している。前記ロック解除用操作ボタン３１は、後述する肘掛け１５に設けられた昇降用の操作レバー２９５により操作される。
【００２１】
《支持基部の構成》
支持基部３は、図７ないし図１３に示すように、前記脚支柱１９のロッド２９に取付けられるメインフレーム３３と、このメインフレーム３３に取付けられた前リンク軸３５及び支軸３７を具備してなるものである。前リンク軸３５は、前リンク３９を介して前記座受５の前端部を支持するためのものである。支軸３７は、前記背凭れ支持体９を支持するとともに後リンク４１を介して座受５の略中間部を支持するためのものである。
【００２２】
メインフレーム３３は、図７ないし図１３に示すように、前記脚支柱１９におけるロッド２９の上端部に嵌着されるボス部４３と、このボス部４３の上端側を囲う平面視半円弧状をなす後フレームメンバ４５と、この後フレームメンバ４５の左右の前端からそれぞれ前方に延出する一対の側フレームメンバ４７と、これら側フレームメンバ４７の前端部間を結合し前端に平坦な面を有する前フレームメンバ４９とを備えたものである。これらボス部４３、後フレームメンバ４５、側フレームメンバ４７、及び前フレームメンバ４９は、アルミダイキャスト等により一体に成型されている。前フレームメンバ４９の上面部には、前記前リンク軸３５を支持する前の軸受部５１が一体に設けられているとともに前記後フレームメンバ４５と側フレームメンバ４７との境界付近には前記支軸３７を支持する後ろの軸受部５３が一体に設けられている。なお、２つの軸受部５１、５３の軸心の床面からの高さが異なっており、前の軸受部５１の方が後ろの軸受部５３より高い位置に設定されている。
【００２３】
そして、このメインフレーム３３には、図１２に示すように、背凭れ１１を前方に付勢する傾動反力発生機構５５が組み込まれている。
【００２４】
傾動反力発生機構５５は、図８ないし図１３に示すように、基端部が前記支軸３７に支持された左右対をなすトルク伝達用のブラケット５７と、これら左右のトルク伝達用のブラケット５７の先端部間に架設した可動軸５９と、この可動軸５９をメインフレーム３３に設けたバネ受け６１を足場として後方に弾性付勢するスプリング６３とを具備してなる。また、符号６４は、前記脚支柱１９のロッド２９に設けられたロック解除用の操作ボタン３１を押圧するための昇降用ロック解除アームであり、図８ないし図１０に示すように、符号２９７は、肘掛け１５に設けた昇降用の操作レバー２９５の操作力を前記昇降用ロック解除アーム６４に伝達するための昇降用のワイヤである。前記操作レバー２９５を操作することでワイヤ２９７を引くと、支軸３７に外嵌された基端ボス部６６が回動し、基端ボス部６６を挟んでワイヤ２９７と反対側に一体に設けられたロック解除アーム６４が下方に回動する。
【００２５】
また、支持基部３は、図３ないし図６、図１０及び図１１に示すように、上カバー６５と下カバー６７とによって覆われている。
【００２６】
上カバー６５は、図１０及び図１１に示すように、支持基部３を上面側から覆うもので、支持基部３に係合するための下向きに突出した上係止爪６９が設けられている。下カバー６７は、支持基部３を下面側から覆うもので、支持基部３に係合するための上向きに突出した下係止爪７１が設けられている。また、これら上カバー６５と下カバー６７とは、それら開口端縁７３、７５同士が突き合うように配されている。
【００２７】
支持基部３のメインフレーム３３の前側の外周面、換言すれば前フレームメンバ４９の前端の平坦面には、図８、図１０及び図１１に示すように、前記上カバー６５と下カバー６７とを取付けるための上下共用取付部７７とが設けられている。
【００２８】
詳述すれば、前記支持基部３のメインフレーム３３は、図８、図１０及び図１１に示すように、上カバー６５の上係止爪６９と下カバー６７の下係止爪７１とをそれぞれ係わり合わせるための上下共用取付部７７を備えたものであり、前記上下共用取付部７７が、前記上係止爪６９が係わり合う係合端面７９と、前記下係止爪７１が係わり合う係合端面８１と、前記上係止爪６９の横ずれを係止する横ずれ防止用の係止端面８３と、前記下係止爪７１の横ずれを係止する横ずれ防止用の係止端面８５とを備えている。
【００２９】
前記上下共用取付部７７は、図８、図１０及び図１１に示すように、メインフレーム３３における前フレームメンバ４９の前端の外周面８７に設けられたもので、その前端の外周面８７を長方形状に凹陥させたものである。この上下共用取付部７７において、上辺が上カバー６５の上係止爪６９が係わり合う係合端面７９であり、下辺が下カバー６７の下係止爪７１が係わり合う係合端面８１である。また、上下共用取付部７７において、左右両側辺が上カバー６５及び下カバー６７の上係止爪６９及び下係止爪７１に対する横ずれ防止用の係止端面８３、８５である。
【００３０】
なお、メインフレーム３３の外周における前後方向中間付近には、図８ないし図１０、図１２及び図１３に示すように、上カバー６５を取付けるための上専用取付部８９と下カバー６７を取付けるための下専用取付部９１とが設けられている。上カバー６５には上専用取付部８９に係わり合う爪９３が設けられ、下カバー６７には下専用取付部９１に係わり合う爪９５が設けられている。
【００３１】
また、メインフレーム３３の外周における後端には、図１０に示すように、上カバー６５を取付けるための上専用取付部９７と下カバー６７を取付けるための下専用取付部９９とが設けられている。上カバー６５には上専用取付部９７に係わり合う爪１０１が設けられ、下カバー６７には下専用取付部９９に係わり合う爪１０３が設けられている。換言すれば、メインフレーム３３の後フレームメンバ４５には、下専用取付部９９である略水平な中央突条と、この下専用取付部９９の両側に配置した一対の上専用取付部９７である側突条とが設けられている。上専用取付部９７は、前記下専用取付部９９に対して高さを異ならせて配置されている。
【００３２】
以上に加えて、上カバー６５及び下カバー６７の外周同士も突き合わせて嵌合するように、上下カバー６５、６７の開口端縁７３、７５には、回転軸の近傍部分を除いて溝、具体的には、上カバー６５及び下カバー６７の一方には嵌合凹部が外方に露出し、他方には嵌合凹部が内方に露出した互いに嵌合可能なＬ型溝が形成されている。これによって支持基部３の上下専用取付部８９、９１に係合するようにした上下カバー６５、６７の爪９３、９５を配するべく、支持基部３から一定間隔離れた位置を保ってカバーする構成をなしていても上下カバー６５、６７同士を確実に嵌合することができる。
【００３３】
以上説明した支持基部３の前の軸受部５１に前リンク軸３５を介して左右の前リンク３９を回動可能に取付けている。前リンク３９の支持基部３への取付構造は次のようになっている。すなわち、前記支持基部３は、図８ないし図１３に示すように、左右にそれぞれ前記前リンク軸３５を支持する軸受部５１と、軸方向に垂直な対向する一対の平面１０５とを備えたものであり、前記前リンク３９は、椅子本来の機能を発揮し得る使用時回動範囲（Ｕ）では前記平面１０５間に位置し、前記前リンク３９を支持基部３に対して挿脱し得る図示しない挿脱時回動範囲では前記平面１０５外に位置する平面対応部分１０７を備えたもので、支持基部３に前リンク軸３５を介して前リンク３９を回動可能に支持させている。
【００３４】
換言すれば、前記支持基部３は、図８ないし図１３に示すように、前リンク軸３５を支持する前の軸受部５１と、この軸受部５１の軸方向に隣接する位置に前方及び上方に開口したリンクアーム収容部１０９とを備えている。リンクアーム収容部１０９は、前リンク軸３５と直交する一対の平面１０５間に形成されたものである。前記前リンク３９は、上端部に前連結軸１１１を保持する軸孔１１３を有するとともに基端部に前リンク軸３５に外装されるボス部１１５を有しており、このボス部１１５の外周にリンクアーム１１７を備えている。このリンクアーム１１７は、前記リンクアーム収容部１０９に対応する平面対応部分１０７を有している。
【００３５】
そして、前記使用時回動範囲（Ｕ）では、前記リンクアーム１１７の平面対応部分１０７が前記リンクアーム収容部１０９の対向する平面１０５間に位置する。そのため、左右の前リンク３９が、前記前リンク軸３５と前連結軸１１１とから外れることが禁止されている。一方、前記挿脱時回動範囲では、前記リンクアーム１１７の平面対応部分１０７が前記リンクアーム収容部１０９の対向する平面１０５外に位置する。そのため、左右の前リンク３９が、前記前リンク軸３５と前連結軸１１１とから外れ得るようになっている。組立状態においては、前リンク３９が前記挿脱時回動範囲にまで回動できないように設定されている。組付け時には、前リンク３９を後ろに寝かせて左右から、座受５の前リンク取付部１２１に通した前連結軸１１１と、メインフレーム３３の前の軸受部５１に通した前リンク軸３５に嵌め込む。その状態で、前記前リンク３９を前に倒してリンクアーム収容部１０９の対向する平面１０５間に前リンク３９のリンクアーム１１７を嵌め込む。その後、座受５の略中間部に位置する後リンク取付部１２７に後連結軸１２３をそれぞれ嵌め込んで、左右から背支持アーム１５１を付けることにより、前述した組立状態となる。すなわち、ねじ等の抜け止め部品を用いることなしに、左右の前リンク３９をメインフレーム３３に取付けることができる。
【００３６】
以上のようにしてなる支持基部３に、前リンク３９及び後リンク４１を介して座受５を支持させている。
【００３７】
《座受の構成》
座受５は、図４ないし図６、図１２、図１３及び図１５に示すように、アウターシェルと称し得る形態をなすもので、この実施形態においては合成樹脂により一体に成型されている。座受５の下面には、前連結軸１１１を介して前リンク３９の回動端１１９を取付けるための前リンク取付部１２１と、後連結軸１２３を介して後リンク４１の回動端１２５を取付けるための後リンク取付部１２７が設けられている。前記前リンク取付部１２１及び後リンク取付部１２７は、座受５に一体に設けられている。
【００３８】
座受５の上面には、縦横にマス目状にリブ１２６が形成され、そのリブ１２６の一部平行な２つのものがそのまま座受５の下方に突出するように伸びて前リンク取付部１２１及び後リンク取付部１２７を構成している。前リンク取付部１２１及び後リンク取付部１２７の左右は、貫通孔を有した側壁１２８、１３０により塞がれている。これらの側壁１２８、１３０も前記リブ１２６の一部を下方に延長して形成してもよい。その他のリブ１２６はこれらのリブ１２６と複数箇所でつながるように形成され、座受５自体の強度だけでなく、前リンク取付部１２１、後リンク取付部１２７の強度にも寄与するように設計されている。すなわち、前記前リンク取付部１２１及び後リンク取付部１２７は、それぞれ前壁１１８、１２２と後壁１２０、１２４と左右の側壁１２８、１３０とを備えた中空体状のもので、前記前壁１１８、１２２、後壁１２０、１２４及び左右の側壁１２８、１３０の少なくとも１枚は、前記リブ１２６の一部を下方に延長することにより形成されている。
【００３９】
《座の構成》
座７は、図７、図１４及び図１５に示すように、前記座受５の上面に取付けられたインナーシェル１２９と、このインナーシェル１２９の上に配設したクッション１３１と、このクッション１３１の外面に張設した張地１３３とを備えたものである。
【００４０】
インナーシェル１２９は、図１５に示すように、合成樹脂により一体に成型されたもので、図示しない爪等により、座受５に固定されている。このインナーシェル１２９は、前側に斜め下方になだらかに垂れ下がる前端垂れ下がり部分１３５を設けるとともに、前記中間部１３７と前記周縁部１３９との境界に中間部１３７が周縁部１３９よりも下方に膨出するような環状の段部１４１が形成されている。
【００４１】
クッション１３１は、図１４及び図１５に示すように、発泡ウレタン等により作られたもので、前側に前記インナーシェル１２９の前端垂れ下がり部分１３５に沿うクッション垂れ下がり部分１４３を備えている。また座７の芯材であるクッション１３１の上面には一方向に並ぶ凹凸部、換言すれば、この実施形態では前後方向に並ぶ溝１４５を複数本設けている。
【００４２】
張地１３３は、図１ないし図７、図１４及び図１５に示すように、クッション１３１及びインナーシェル１２９の周縁部１３９を覆う袋状のものである。張地１３３の外周縁１４７は筒状に縫製し、その内に紐１４８を通してある。張地１３３の縁１４７は、インナーシェル１２９の下面側に巻き込み、紐１４８を引っ張ることで、紐１４８とともにインナーシェル１２９の下面側に設けた段部１４１に掛け止める。これにより、張地１３３の縁１４７は、インナーシェル１２９の段部１４１の端面に沿って配される。さらに、インナーシェル１２９の段部１４１及び張地１３３の縁１４７は、前記座受５により下方から隠されるように覆われる。因みに、インナーシェル１２９の四隅において、張地１３３をインナーシェル１２９に対してタッカ止め、接着等により固着するようにしてもよい。特に、本実施形態のインナーシェル１２９の前側は垂れ下がっていることから、張地１３３の前側の隅角部をこのようにして固定することで確実な外れ止めになる。
【００４３】
この張地１３３には、前記クッション１３１に形成された溝１４５に関連させて視覚的特徴部分が形成されている。この実施形態において視覚的特徴部分は、前記張地１３３にエンボス加工（例えば、張地１３３となる布や皮革等を、視覚的特徴部分に対応した凹凸模様を形成した押し型を以て強圧する。張地１３３が合成繊維製品である場合、型押しとともに加熱する。張地１３３がレーヨンや木綿等である場合、当該生地に樹脂加工を施してから型押しして加熱する）を施してなる線条１４９である。線条１４９は、張地１３３の上面から若干凹み、張地１３３の下面から下方に突出している。線条１４９は、この実施形態では前後方向に並ぶように複数本存在しており、張地１３３をクッション１３１に被せたときに平面視クッション１３１の溝１４５に上方から重なり合う位置に存在している。ただし、線条１４９が着座者やその他の者の視覚に認識されることが重要なのであり、クッション１３１の溝１４５と張地１３３の線条１４９とは、必ずしも平面視重なり合うとは限られない。
【００４４】
クッション１３１の上面側に張られた張地１３３及びその視覚的特徴部分１４９と、クッション１３１との間には、凹凸部１４５による空隙が介在する。この凹凸部１４５が、着座面の通気性の確保に寄与し、座り心地の向上をもたらす。
【００４５】
《背凭れ支持体の構成》
背凭れ支持体９は、図７ないし図９、図１６及び図１７に示すように、前記支持基部３から後上方に延出させた左右の背支持アーム１５１と、これら左右の背支持アーム１５１の上端部１６９同士を連結する上連結材１５３と、前記トルク伝達用のブラケット５７の基端から一体に後上方に向けて延設され前記背支持アーム１５１の基端部内側面に添接する左右の背支持ブラケット１５５と、これら左右の背支持ブラケット１５５の後端を連結する下連結材１５７とを具備してなる。
【００４６】
左右の背支持アーム１５１は、図１ないし図９、図１３、図１６ないし図１８に示すように、それぞれ前記支持基部３に回動可能に支持された樹脂製のものであり、前後方向に延びる前後方向延出部１５９と、この前後方向延出部１５９の後端から連続して上方に伸びる起立部１６１とを備えたものである。図示例では、前後方向延出部１５９と起立部１６１とは、側面視略くの字状をなしている。各背支持アーム１５１は、その基端部、すなわち前記前後方向延出部１５９の前端部１６３に、前記支持基部３に設けられた支軸３７の端部１６５に外側から嵌め合わせるための軸装部１６７を備えている。また、各背支持アーム１５１は、その先端部、すなわち前記起立部１６１の上端部１６９に、上連結材１５３を取付けるためのアーム突出部１７１を備えている。
【００４７】
各背支持アーム１５１の軸装部１６７は、図３ないし図９及び図１６に示すように、前記支軸３７の端部１６５を嵌合させるべく内方にのみ開口させた軸穴１７３を備えている。具体的には、この軸穴１７３にブッシュ１７５を介して前記支軸３７の端部１６５が相対回転可能に嵌合されるようになっている。ブッシュ１７５は、支軸３７を装着する前に背支持ブラケット１５５の内側面側から貫装させたものであり、このブッシュ１７５の内周に前記支軸３７が相対回転可能に嵌入される。ブッシュ１７５の鍔部１７７は、前記背支持ブラケット１５５とメインフレーム３３との間に位置している。このブッシュ１７５の外周に前記軸装部１６７が外嵌されており、この軸装部１６７によって前記支軸３７の端部１６５がカバーされるようになっている。前記軸穴１７３は開口端部側が大径となるテーパー状をなしており、前記支軸３７は円柱状をなしている。ブッシュ１７５は、前記軸穴１７３の内周面と前記軸３７の外周面との間を埋める形状をなしている。すなわち、ブッシュ１７５の外周面はテーパー状をなし、内周面は各部同一断面形状をなす円柱形状をなしている。
【００４８】
なお、前記軸装部１６７の外周には、図３ないし図９、図１６及び図１７に示すように、前記後リンク４１が一体に設けられている。また、この軸装部１６７の近傍における前記各背支持アーム１５１の内側面には、前記下連結材１５７の片半部１７９をカバーするカバー部材１８１がそれぞれ一体に突設されている。カバー部材１８１には、ねじ挿通孔１８３が設けられており、このねじ挿通孔１８３に挿通されたねじ１８７を前記下連結材１５７に設けられたねじ孔１８５に螺着することにより、左右の背支持アーム１５１が下連結材１５７に取付けられる。
【００４９】
この状態では、左右の背支持アーム１５１が下連結材１５７を介して相互に結合されるので、軸装部１６７が支軸３７から抜け出ることがなくなる。すなわち、後端を下連結材１５７により連結された左右の背支持ブラケット１５５を支軸３７を介して支持基部３に支持させ、前記支軸３７の前記背支持ブラケット１５５よりも外側に突出する両端部１６５に前記背支持ブラケット１５５と共に回動する左右の背支持アーム１５１を支持させているので、前記左右の背支持アーム１５１を前記背支持ブラケット１５５の左右外方から取付けることで、前記支軸３７、背支持ブラケット１５５及び下連結材１５７をカバーすることができる。この実施形態においては、左右の背支持アーム１５１のカバー部材１８１の端部１８９同士が組立状態において密に突き合うようになっている。
【００５０】
背支持アーム１５１のアーム突出部１７１は、図７及び図１８に示すように、上連結材１５３の端部を取付けるためのもので、ねじ挿通孔１９１とこのねじ挿通孔１９１に連続するねじ孔を有した図示しないナットとを備えている。
【００５１】
上連結材１５３は、図７及び図１８に示すように、チャネル状をなす金属製のもので、左右の背支持アーム１５１のアーム突出部１７１間に架設した上で、前記ナットに螺着されるねじ１９５により前記各背支持アーム１５１に取付けられる。すなわち、上連結材１５３は、後方に開口する形状をなし、前記アーム突出部１７１に前側から嵌め合わせて背支持アーム１５１の上端部１６９間に架設される。
【００５２】
背支持ブラケット１５５は、図９、図１２、図１３、図１６及び図１７に示すように、金属製のもので、前記トルク伝達用ブラケット５７と一体に作られており、前記支軸３７を介してメインフレーム３３に回動可能に支持されている。
【００５３】
下連結材１５７は、図９、図１６及び図１７に示すように、金属製のもので、その両端部が、前記背支持ブラケット１５５の後端に溶接により剛結されている。この下連結材１５７は、背支持ブラケット１５５と協働して合成樹脂製の背支持アーム１５１の骨格的な機能を有している。また、左右から嵌め付けられる背支持アーム１５１が左右に離脱するのを防止するための土台としての機能も有している。さらに、下連結材１５７は、背凭れ１１に作用する後傾方向の荷重を背支持アーム１５１を介して受け止め、その荷重を背支持ブラケット１５５を介して傾動反力発生機構５５のトルク伝達用のブラケット５７に伝える機能をも有している。
【００５４】
以上のようにしてなる背凭れ支持体９に背凭れ１１を支持させてなる。
【００５５】
《背凭れの構成》
背凭れ１１は、図１ないし図７に示すように、頂部２０１において略水平になるまで湾曲させてなりほぼ中間部に弾性変形助長用の開口部２０３を有した樹脂製の背シェル２０５と、この背シェル２０５の頂部２０１よりも後方に位置する先端縁２０７を支持する背支持部材２０９と、前記背シェル２０５の表面側に添設された張地２０６とを具備してなる。
【００５６】
背シェル２０５は、図２ないし図７、図１９、図２０、図２２ないし図２４に示すように、背凭れ支持体９に支持された樹脂製のものであり、頂部２０１において略水平になるまで湾曲させてなりほぼ中間部に弾性変形助長用の開口部２０３を有したものである。すなわち、この背シェル２０５は、上部領域２１１に上下方向に伸びる複数の帯状部材２１３が左右に並び、それら帯状部材２１３間に前記開口部２０３が形成されている。また、背シェル２０５は、正面視において、着座者の腰部に対応する部分、すなわち腰部対応部分２１５が左右幅が広く、上に行くほど漸次幅狭となる形状をなしている。
【００５７】
上部領域２１１は、図２ないし図７、図１９、図２０、図２２、図２４に示すように、着座者の背中を受ける前面部分２１７と、この前面部分２１７の上縁に連続して設けられ頂部２０１において略水平になるまで湾曲した上湾曲部分２１９と、この上湾曲部分２１９の後縁に連続して設けられ下方に湾曲して垂れ下がる背面部分２２１とを備えている。そして、背面部分２２１の先端縁２０７には、下方に開口する溝２２３が形成されている。
【００５８】
この溝２２３は、前記背支持部材２０９を嵌合させるための主嵌入部２２５と、この主嵌入部２２５に背支持部材２０９を嵌合させた状態で背支持部材２０９の背面側に開口する副嵌入部２２７とを備えたものである。すなわち、背シェル２０５の先端縁２０７に設けられた溝２２３は、主嵌入部２２５と副嵌入部２２７を連続的に形成した段付き溝状のものであり、この主嵌入部２２５に背支持部材２０９の後述する上取付部２５１を挿入すると、前記副嵌入部２２７のみが外方に開口して残ることとなる。この副嵌入部２２７は、後述する側縁溝２３５と連続しており、これら副嵌入部２２７及び側縁溝２３５を用いて張地２０６を取り付けることにより、背シェル２０５の前面から上部背面側に向かって張地２０６でカバーできるようになっている。なお、背面部分２２１の帯状部材２１３には、弾性変形調整用のリブ２２８が形成されている。
【００５９】
また、背シェル２０５の下部領域２２９は、図２ないし図７、図１９、図２０及び図２３に示すように、左右両側が左右方向中間よりも前方に突出した凹型をなしている。この下部領域２２９には、前記帯状部材２１３に連続した突条２３１が形成されており、隣接する突条２３１間に前記開口部２０３に連続した薄肉部２３３が形成されている。背シェル２０５の下部領域２２９は、着座者の腰部に対応する部分２１５を側面視前方に隆起させており、平面視中央が凹むように湾曲させている。
【００６０】
なお、背シェル２０５は、図１、図２、図４、図６、図１９、図２２及び図２３に示すように、左右両側縁にそれぞれ外方に開口した側縁溝２３５を有しており、これら側縁溝２３５と前記溝２２３における副嵌入部２２７とが連続している。また、前記背シェル２０５の下端には、前記側縁溝２３５に連続する下縁溝２３７が設けられている。
【００６１】
この背シェル２０５は、図１ないし図６に示すように、その下部２３９が前記背支持アーム１５１の前面に取り付けられるとともに、その上部２４３が前記背支持部材２０９に支持される。背シェル２０５の下部２３９の取付けについて述べると、左右の背支持アーム１５１の起立部１６１の前面側には、上下に離間させて複数のナット孔２０４が形成されている。他方、背シェル２０５の下部２３９の左右両側部には、これらナット孔２０４に各々対応したビス挿通孔が設けられている。したがって、取付け用のビス２４１を前記ビス挿通孔に前方から挿し通した上、前記ナット孔２０４に螺合緊締することにより、背シェル２０５の下部２３９の左右両側部を左右の背支持アーム１５１の起立部１６１の前面に固定することができる。ビス２４１は、張地２０６を張り設けた際に、覆い隠される。
【００６２】
背支持部材２０９は、図１、図２、図４ないし図７、図１９、図２１、図２２、図２４及び図２５に示すように、前記背シェル２０５の裏面に左右及び下方に開放された空間２４５を形成するように対面配置された板状のものであり、前記背凭れ支持体９に支持され前記背シェル２０５の前後方向へのたわみを制御するものである。背支持部材２０９は、左右両側が左右方向中間よりも前方に突出した前方から見て凹型をなし前記背シェル２０５の上部領域２１１の前面部分２１７及び下部領域２２９の幅寸法よりも小さな幅寸法を有した支持部材本体２４７と、この支持部材本体２４７の下端に設けられ前記上連結材１５３に取付けられる下取付部２４９と、前記支持部材本体２４７の上端に設けられ前記溝２２３の主嵌入部２２５に嵌合する上取付部２５１と、この上取付部２５１、前記支持部材本体２４７及び下取付部２４９に亘って形成されたリブ２５３とを有している。なお、背支持部材の左右両端縁は、中間部より厚くなっており、ここが周辺補強材として機能分担している。
【００６３】
支持部材本体２４７は、図４ないし図７、図１８、図１９、図２１、図２２、図２４及び図２５に示すように、板状のもので、左右両側が左右方向中間よりも前方に突出した湾曲形状をなしており、上取付部２５１の下側に屈曲部２５５が形成されている。この屈曲部２５５は、該屈曲部２５５の上側が下側に対して前方に傾斜するような形状をなしている。換言すれば、この屈曲部２５５は、側面視くの字状に屈曲している。
【００６４】
上取付部２５１は、図４ないし図７、図１９、図２１及び図２４に示すように、前記主嵌入部２２５に密に嵌合し得る厚み寸法を有しているもので、嵌合状態においてねじ２６３を用いて背シェル２０５に取付けられる。すなわち、この上取付部２５１は、支持部材本体２４７の上端から上方に延出された板状のもので、その前面に前記リブ２５３の上端部が位置している。この上取付部２５１の前面において、隣接するリブ２５３間に板ナット２５７を配した上で、その上端部を溝２２３の主嵌入部２２５に嵌合させることによって、前記板ナット２５７を位置決め保持することができるようになっている。そして、この板ナット２５７のねじ孔２５９に背シェル２０５のねじ孔２６１を通して背面側から挿通させたねじ２６３を螺着することによって、この背支持部材２０９を前記背シェル２０５に取付けることができるようになっている。この状態では、前記板ナット２５７が、前記背シェル２０５及び前記背支持部材２０９によって隠されている。
【００６５】
下取付部２４９は、図４ないし図７、図１９、図２１及び図２５に示すように、前記支持部材本体２４７の下端から下方に連続して延出する後壁２６５と、この後壁２６５の上端から前方に延出し前記中間に位置するリブ２５３を相互に連結する天壁２６７と、この天壁２６７の前縁から下方に垂下させた前壁２６９とを備えたもので、前記上連結材１５３に上側から嵌合し得るように下方に開放された形状をなしている。前記下取付部２４９の前壁２６９には、背支持部材２０９を前記上連結材１５３に取付けるためのねじ２７１を挿通させるためのねじ挿通孔２７３が形成されている。
【００６６】
リブ２５３は、図７、図１９、図２１、図２２、図２４及び図２５に示すように、上下方向に亘って伸びるもので、背支持部材２０９の前面に複数枚設けられている。これらのリブ２５３は、上側に向かって漸次突出寸法が小さくなるような形状をなしている。また、これらのリブ２５３は、左右に略一定の間隔をあけて配されている。なお、左右両側に位置するリブ２７５は、支持部材本体２４７の下端においてとぎれており、下取付部２４９まで延出しておらず、この左右両側に位置するリブ２７５の下方には、前記天壁２６７及び前壁２６９は設けられていない。一方、中間に位置するリブ２７７は、下取付部２４９の前壁２６９の前面にまで延出している。なお、左右両側に位置するリブ２７５の突出寸法は、中間に位置するリブ２７７の突出寸法に比べて小さくなるように設定されている。また、背支持部材２０９の下方において、左右両側に位置するリブ２７５の厚み寸法は、中間に位置するリブ２７７の厚み寸法に比べて大きくしてある。具体的には、中間に位置するリブ２７７よりも上下方向の長さの短い左右両側に位置するリブ２７５は、下方において厚み寸法を約６ミリメートルとしており、一方中間に位置するリブ２７７は下方において厚み寸法を約４ミリメートルとしている。そのため、背支持部材２０９を背面側から見た際に、左右両側には縦方向に延びるフレームが存在するように見える。
【００６７】
張地２０６は、図１ないし図７、図２２ないし図２４に示すように、通気性及び透光性を有した布材を主体に構成されたもので、背シェル２０５のほぼ全域を覆い隠し得る寸法を有したほぼ長方形状をなしており、端部２７９を背シェル２０５の外周縁に止着している。詳述すれば、前記張地２０６の下端部２８１を前記背シェル２０５の下縁溝２３７に押し込んで止着するとともに、左右両側の端部２８３を前記背シェル２０５の側縁溝２３５に押し込んで止着している。また、張地２０６の上部２８５を背シェル２０５の上湾曲部分２１９及び背面部分２２１の外面に被せ、その端部２７９を前記溝２２３の副嵌入部２２７に押し込んで止着している。具体的には、前記張地２０６の端部全周縁には、図示しない押し込み材が縫製されており、この押し込み材とともに前記張地２０６の端部２７９、下端部２８１、及び左右両側の端部２８３を、背シェル２０５の溝２２３の副嵌入部２２７、下縁溝２３７、及び側縁溝２３５にそれぞれ取付けるようにしている。なお、張地２０６を背シェル２０５に取付けた状態で、前記背シェル２０５と背支持部材２０９とを結合するねじ２６３の頭をカバーするようになっている。
【００６８】
以上説明したような背凭れ１１は、背面視において前記背シェル２０５の両側縁が、前記背支持部材２０９の両側縁よりも外側にはみ出した状態で視認可能となっている。また、斜め後方からの視線において、前記張地２０６の裏側が、背シェル２０５の開口部２０３を介して視認可能であり、斜め前方からの視線において、前記背支持部材２０９のリブ２５３が視認可能である。
【００６９】
以上のようにしてなる背凭れ１１と前記座７とをロッキング機構１３により連動させるようにしている。
【００７０】
《ロッキング機構の構成》
このロッキング機構１３は、図４ないし図１３に示すように、背凭れ１１の後傾動作に伴わせて座７を傾動させつつ上動させるようにした体重感知式のものである。
【００７１】
詳述すれば、このロッキング機構１３は、図４ないし図１３に示すように、前側に前リンク軸３５を保持するとともに後側に支軸３７を保持する支持基部３と、下端部を前記前リンク軸３５を介して前記支持基部３に回動可能に支持させた前リンク３９と、下端部を前記支軸３７に支持された背支持アーム１５１の軸装部１６７に一体化させてなる後リンク４１と、前リンク取付部１２１を前連結軸１１１を介して前記前リンク３９の回動端１１９に連結するとともに後リンク取付部１２７を後連結軸１２３を介して後リンク４１の回動端１２５に連結してなる座受５とを主体に構成されたものである。
【００７２】
すなわち、このロッキング機構１３は、図４ないし図１３に示すように、座７を支持する座受５を同一方向に傾斜する前リンク３９と後リンク４１とによって支持基部３に支持させ、その支持基部３に支持された背支持アーム１５１の後傾動作に伴わせて、前記前リンク３９及び後リンク４１を起立方向に回動させて前記座受５を上方に持ち上げるように構成した体重感知式のものであり、前記背凭れ１１の後傾時に、前記座７の前部を座７の後部に比べてより多く持ち上げるように構成されたものである。すなわち、通常の背凭れ及び座のシンクロロッキング機構では、背凭れの後傾動作に伴わせて座を下方側にのみ傾動させるものであるが、本実施形態に示すような体重感知式のロッキング機構１３は、通常のロッキング機構とは異なり、図１３に二点鎖線で示すように、背凭れ１１の後傾動作に伴わせて座７を傾動させつつ着座者の荷重に抗して座７を持ち上げるように構成している。
【００７３】
具体的に説明すれば、図１３に示すように、前記背凭れ１１を後傾させていない背起立時において、前リンク３９の前傾度合いが後リンク４１の前傾度合いよりも大きくなるように設定されている。換言すれば、前記背凭れ１１を後傾させていない背起立時において、前リンク３９における水平線に対する傾斜角度αが、後リンク４１における水平線に対する傾斜角度βよりも小さく設定されている。また、前記前リンク３９の支持基部３に対する回転中心を、前記後リンク４１の支持基部３に対する回転中心よりも高い位置に設定している。換言すれば、前記前リンク軸３５の軸心を前記支軸３７の軸心よりも距離ｈ分高い位置に設定している。前記前リンク３９の有効長さ寸法、すなわち前記前リンク軸３５と前記前連結軸１１１との軸心間距離Ｌ１と、前記後リンク４１の有効長さ寸法、すなわち後リンク軸である前記支軸３７と前記後連結軸１２３との軸心間距離Ｌ２とは略同じ距離に設定されている。また、前記背支持アーム１５１が、前記支持基部３における脚支柱１９よりも前側の部位に枢支されている。換言すれば、前記背支持アーム１５１の軸装部１６７が、側面視において前記脚支柱１９よりも前側に位置する支軸３７に支持されている。
【００７４】
前リンク３９の前傾度合いを後リンク４１の前傾度合いよりも大きくしている点は、後傾時に座７の前側を後側よりも相対的に大きく持ち上げることを目的としたもので、前リンク３９と後リンク４１との前傾度合いを相互に大きく異ならせることにより、後傾時の座７の前側の持ち上がりを大きく設定することが可能になる。つまり、前リンク３９は座７の前部つまり座面７ａの前部７ａ１を上方に持ち上げる動作が多く、後リンク４１は座７を後方に移動させる動作が中心となる。これによって、座面７ａは前部７ａ１を多く持ち上げながら座面７ａの後部７ａ２は後方移動し、後傾する背凭れ１１に追従するように後方に移動していくこととなる。その結果、座面７ａを相対的に後傾させることで座７の後端部と背凭れ１１の下端部との相対的な位置関係の変化が有効に抑えられたものとなっている。
【００７５】
前リンク３９と後リンク４１の回転中心位置を上下方向に異ならせる点は、主に背起立時の座７の水平度合いを調整することを目的としたものであり、前述した前後リンク３９、４１の前傾度合い差と組み合わせることにより、背凭れ１１起立時の座７の姿勢と背凭れ１１後傾時の座７の姿勢を共に最適な状態に設定している。前リンク３９の有効長さ寸法Ｌ１と後リンク４１の有効長さ寸法Ｌ２とを略同寸法とすることにより、前記設定をより適切なものにすることができる。
【００７６】
なお、一般に前記背支持アームが、前記支持基部における脚支柱よりも前側の部位に枢支されている椅子においては、背凭れ後傾時に背凭れが下方に沈みこむ傾向にあるため、背凭れ後傾時に座全体が平均的に上方に持ち上がるようにした通常の体重感知式ロッキング機構を採用した場合には大きな違和感、より具体的には、着座者の予想に反して、座の後側部分を含む座全体が上方に持ち上がる結果、着座者の腰部近傍に、背凭れの沈み込み動作とこの沈み込み動作と相反する座の持ち上がり動作とが同時に発生することによって与えられる違和感が発生するが、本実施形態の構成によればその違和感が緩和されるものとなる。すなわち、本実施形態のものは体重感知式ではあるが背凭れ１１後傾時にも座７の後側が大きく持ち上がることがないので大きな違和感を与えにくいものとなる。
【００７７】
また本実施形態では、この後リンク４１は背支持アーム１５１の回動中心である支軸３７を中心に、背支持アーム１５１及びトルク伝達用のブラケット５７とともに一体的に回動するものとしている。これにより、背凭れ１１の後傾動作に伴う座７の連動動作のみならず、後リンク４１を介した支持基部３による座７の正確な位置決めを併せて実現している。さらに本実施形態では、背凭れ１１の回動範囲を２０度に設定しているとともに、背凭れ１１を最大限後傾させた状態における座面７ａのなす角度は、背凭れ１１起立時に比べて４度後傾するように設定している。すなわち本実施形態では、主に後リンク４１による背凭れ１１後傾時の座受５の略中央部の持ち上げによって起こる座面７ａの後部７ａ２が持ち上がる寸法γ２よりも、前リンク３９による背凭れ１１後傾時の座面７ａの前部７ａ１が持ち上がる寸法γ１をより大きく設定する結果、背凭れ１１の最大後傾時の座面７ａの角度を背凭れ１１起立時よりも４度後傾するようにしている。加えて本実施形態では、後リンク４１を座受５の前後方向における略中央部に接続しているため、背凭れ１１の後傾時前後リンク３９、４１共に座受５を持ち上げるような構成にしても、前リンク３９が後リンク４１よりも多く座受５を持ち上げるので、相対的に座受５の後端部は前端部よりも下がるように設定でき、座受５の前端部が上昇した際に座受５の後端部の高さ位置を、背凭れ１１の起立時と後傾時で殆ど変わらないようにしている。
【００７８】
《肘掛けの構成》
肘掛け１５は、図１ないし図７及び図１８に示すように、前記背凭れ支持体９の背支持アーム１５１における上端部前面から一体に前方に突出させた肘支持部２８７と、この肘支持部２８７の上に設けた肘当て２８９とを具備してなる。
【００７９】
肘支持部２８７は、図３ないし図６及び図１８に示すように、上方に開放した有底舟形をなしている。一方の肘支持部２８７、本実施形態では着座者から見て右側の肘支持部２８７の前端部位の底壁２９１には、貫通した窓２９３を形成しており、その窓２９３を介して下方に操作レバー２９５を突出させている。操作レバー２９５は、脚支柱のロック解除用の操作ボタン３１を操作するためのものである。この操作レバー２９５と前記操作ボタン３１との間はワイヤ２９７で接続しており、操作レバー２９５に加えられた操作力をワイヤ２９７によって操作ボタン３１に伝達することで、操作ボタン３１の操作、ひいては脚支柱のロック／ロック解除の切換えを行い得る。操作レバー２９５の基端部及び操作レバー２９５に接続するワイヤ２９７の一端部は、前記肘支持部２８７の内部に収まっている。
【００８０】
肘支持部２８７の内部空間は、前記背支持アーム１５１の起立部１６１に形成されたワイヤ案内空間２９８に連通している。ワイヤ案内空間２９８は、上下方向に延伸し、かつ、その一部または全部が前方に開口する。ワイヤ案内空間２９８の下端部は、前後方向延出部１５９の直上まで到達しており、背シェル２０５の下部２３９を起立部１６１に取付けた状態で背シェル２０５の下端よりも若干下方に位置して前方に開通している。そのため、操作レバー２９５に接続されたワイヤ２９７は、肘支持部２８７の内部空間からワイヤ案内空間２９８の下端部へと導き出され、そこから前後方向延出部１５９に沿って支持基部３へと到る。
【００８１】
肘当て２８９は、図１ないし図５、図７及び図１８に示すように、前記肘支持部２８７に対して着脱可能である。これにより、共通の肘支持部２８７に取付可能な複数種類の肘当て２８９の中から任意のものを選んで使用することができる。本実施形態で示している肘当て２８９は、肘支持部２８７に対して直接取付けられる取付ベース２９９と、この取付ベース２９９に支持され着座者の腕が載せ置かれる肘当て本体３０１とが一体的に設けられているものである。
【００８２】
取付ベース２９９は、肘支持部２８７及び背支持アーム１５１の上端部１６９に蓋着される基体３０３と、この基体３０３の内方端から略水平に延出するスペーサ３０５とを具備してなる。基体３０３は、前側が図示しない係止機構により肘支持部２８７に掛け止めされるとともに、後側がビス３０７を用いて背支持アーム１５１の前面側に取付けられる。肘当て２８９のスペーサ３０５は、リブ２７５の直下の天壁２６７が存在していない空隙を埋めるためのもので、背支持部材２０９の下取付部２４９の天壁２６７にほぼ連続する板状をなしている。このスペーサ３０５は、前記上連結材１５３の上面と、背支持部材２０９の左右両側に位置するリブ２７５の下端面との間に密に介設される。
【００８３】
本実施形態の椅子は、芯材１３１の表面側に張地１３３を配置した座７を具備してなり、前記芯材１３１の表面に一方向即ち前後方向に並ぶ凹凸部１４５を形成するとともに、前記張地１３３に前記凹凸部１４５に関連させて視覚的特徴部分１４９を形成したものである。本実施形態によれば、張地１３３の表面に凹凸部１４５の形状に沿って埃その他の汚れが付着したとしても、その汚れが視覚的特徴部分１４９に溶け込み、視覚的に目立つ状態とならない。長期間に亘る使用を経て張地１３３に皺がつき、または張地１３３が摩耗したとしても、その皺や摩耗が視覚的特徴部分１４９によって視覚的に欺瞞される。結果、長期間に亘って家具としての美観、格調が維持されることとなる。
【００８４】
前記凹凸部１４５と前記視覚的特徴部分１４９とを、座７の表面側から見て少なくとも一部重なり合うように配置しているため、張地１３３における凹凸部１４５の辺りについた埃や皺を視覚的に欺瞞する効果が増強される。当該視覚的特徴部分１４９は、張地１３３で覆い隠された芯材１３１の機能、換言すれば凹凸部１４５の存在を視覚的に強調し、認知させるものともなり得るので、顧客に対するアピールポイントとしても有用である。
【００８５】
前記凹凸部１４５が、左右方向に延伸した凹溝であるため、着座面の通気性の確保に大いに寄与する。
【００８６】
前記視覚的特徴部分１４９が、前記凹凸部１４５の延伸方向即ち左右方向に沿って展開しているため、筋汚れが目立ちにくくなる。
【００８７】
前記視覚的特徴部分１４９が、前記張地１３３の裏面側に突き出すように凹んだエンボスであるため、当該視覚的特徴部分１４９を介して芯材１３１と張地１３３との係わり合いが増強され、芯材１３１に対して張地１３３が横ずれしてしまうのを抑制することができる。このことは、座７が背凭れ１１の後傾に連動して変位する際に特に有効となる。
【００８８】
なお、本発明は以上に詳述した実施形態に限られるものではない。例えば、視覚的特徴部分の形状は、凹凸部１４５の延伸方向に沿って連続的に伸びる線条１４９には限定されない。図２６に示すように、視覚的特徴部分として、多数個の穴１４９ｘが凹凸部１４５の延伸方向に沿って間欠的に並んで（分散して）展開しているようなものであっても構わない。各々の穴１４９ｘは、上記実施形態における線条１４９と同様、エンボス加工により張地１３３の上面から凹み、下面から突出するものとすることが好ましい。
【００８９】
視覚的特徴部分が、エンボス加工によって張地１３３に設けられるとは限られない。図２７に示すように、線条（や穴、その他の凹凸）のように見える模様や色彩１４９ｙを、張地１３３の表面に付することが考えられる。このような視覚的特徴部分１４９ｙは、張地１３３に印刷してもよいし、張地１３３が布である場合にはその紡織時に織り込んでしまってもよい。張地１３３に立体的な凹凸を作成する紡織手法を採用する場合には、エンボス加工によらずに、張地１３３の表面から凹む線条１４９や穴１４９ｘ等の視覚的特徴部分を形成することが可能である。
【００９０】
本発明は、背凭れに適用することができる。図２８に示している背凭れ１１ｘは、上記実施形態における背凭れ１１とは異なり、芯材となる図示しないクッション材を採用し、そのクッション材の少なくとも前面を覆うように張地１１ｙを張り設けてなる。クッション材の前面には、上記実施形態における座７と同様、凹凸部として、左右方向に延伸する複数の凹溝を上下方向に並べて形成する。そして、張地１１ｙにも、上記実施形態における張地１３３と同様、視覚的特徴部分として、左右方向に延伸する複数本の線条１１ｚを上下方向に並べて形成する。視覚的特徴部分１１ｚは、背凭れ１１ｘの表面側から見て、その一部または全部が芯材に形成した凹凸部と重なり合うように配置する。
【００９１】
凹凸部の延伸方向、視覚的特徴部分の展開方向は、左右方向には限定されない。座７であれば、前後方向に伸びる複数本の凹溝を芯材１３１に左右方向に並べて形成し、これに関連して前後方向に展開する視覚的特徴部分を張地１３３に形成することができる。背凭れ１１ｘであれば、上下方向に伸びる複数本の凹溝を芯材に左右方向に並べて形成し、これに関連して上下方向に展開する視覚的特徴部分を張地１１ｙに形成することができる。
【００９２】
凹凸部１４５の形状は、上に述べたような有底の凹溝には限定されない。芯材１３１の表面から凹んだ複数個の凹穴を分散させて配置し、凹凸部を形成してもよい。芯材１３１の表裏を貫通する複数の貫通孔を穿ち、凹凸部としてもよい。
【００９３】
芯材は、クッション１３１には限定されない。硬質樹脂製の座板または背板等の表面に張地を張り設けて座または背凭れを構成する場合、その座板または背板に凹凸部を形成し、張地に当該凹凸部に関連した視覚的特徴部分を形成する。
【００９４】
その他各部の具体的構成は、本発明の趣旨を逸脱しない範囲で種々変形が可能である。
【産業上の利用可能性】
【００９５】
本発明は、例えばオフィス等において使用される事務用椅子として利用することができる。
【符号の説明】
【００９６】
７…座
１１ｘ…背凭れ
１３１…芯材
１３３、１１ｚ…張地
１４５…凹凸部（凹溝）
１４９、１４９ｘ、１４９ｙ、１１ｚ…視覚的特徴部分（線条、穴、印刷等による模様または色彩の変化部分）
【図１】
0005636562.tif 000002
【図２】
0005636562.tif 000003
【図３】
0005636562.tif 000004
【図４】
0005636562.tif 000005
【図５】
0005636562.tif 000006
【図６】
0005636562.tif 000007
【図７】
0005636562.tif 000008
【図８】
0005636562.tif 000009
【図９】
0005636562.tif 000010
【図１０】
0005636562.tif 000011
【図１１】
0005636562.tif 000012
【図１２】
0005636562.tif 000013
【図１３】
0005636562.tif 000014
【図１４】
0005636562.tif 000015
【図１５】
0005636562.tif 000016
【図１６】
0005636562.tif 000017
【図１７】
0005636562.tif 000018
【図１８】
0005636562.tif 000019
【図１９】
0005636562.tif 000020
【図２０】
0005636562.tif 000021
【図２１】
0005636562.tif 000022
【図２２】
0005636562.tif 000023
【図２３】
0005636562.tif 000024
【図２４】
0005636562.tif 000025
【図２５】
0005636562.tif 000026
【図２６】
0005636562.tif 000027
【図２７】
0005636562.tif 000028
【図２８】
0005636562.tif 000029